(57)【特許請求の範囲】
【請求項１】
水または温水を処理する水処理材が収められた浄水カートリッジを収納した浄水部と、この浄水部にシャワーホースによって接続されたシャワーヘッドと、前記浄水器に水または温水を供給する水栓と、前記水栓内に設けられ、設定温度以上の温水を遮断する制御部とを具備し、
前記浄水部は、壁内に設けられ、
前記制御部は、通水孔が形成された凸ボディーと、この凸ボディーの凸部と嵌合する、通水孔が形成された凹ボディーと、前記凸ボディーの通水孔の開閉を行う弁体と、前記弁体に接続する形状記憶スプリングとを有するものであることを特徴とする浄水シャワーシステム。
【請求項２】
前記浄水部が複数の浄水カートリッジを有し、これら浄水カートリッジが連結可能であることを特徴とする請求項１記載の浄水シャワーシステム。
【請求項３】
前記浄水部には、前記水または温水が前記水処理材を通って吐出される第一の流路と、前記水または温水が前記水処理材を通らずに吐出される第二の流路と、前記第一の流路と第二の流路とを切り換える切換機構とが設けられていることを特徴とする請求項１または請求項２記載の浄水シャワーシステム。
【発明の詳細な説明】
【０００１】
【発明の属する技術分野】
本発明は、浴室内などに設置され、水道水中に含まれる残留塩素等を浄水カートリッジで取り除き、浄水をシャワー吐出する浄水シャワーシステムに関するものである。
【０００２】
【従来の技術】
近年、健康や美容に関する意識が高まり、水道水に入っている残留塩素が飲料用のみならず、浴室での入浴や洗髪時に髪を傷めたり肌を刺激し、また、カルキ臭を発生する要因として着目され、この残留塩素を除去することが望まれている。こうした要望に対し、残留塩素を除去する浄水シャワーシステムが販売されている。
【０００３】
図９は、従来の浄水シャワーシステムの一例を示す図である。この浄水シャワーシステム４０は、主に、浄水を噴出するシャワーヘッド４１と、水道の水栓５１より原水を供給する給水口４２と、一端が前記シャワーヘッド４１に連結され、他端が給水連結部４３を介して前記給水口４２に連結されたシャワーホース４４と、前記シャワーヘッド４１を壁５２に固定するフック４５を有して概略構成されるものである。
また、前記シャワーヘッド４１は、浄水を散水する散水板４６が設けられたシャワー散水部４７と、このシャワー散水部４７に先端部が着脱可能に連結されるグリップ部４８と、このグリップ部４８とシャワーホース４４とを連結するヘッド連結部４９と、前記グリップ部４８内部のカートリッジ収納空間に着脱可能に収納された浄水カートリッジ５０とからなるものである。
【０００４】
前記浄水カートリッジ５０は、略円柱形を有しており、その内部には、仕様性能に応じた適量の水処理材が充填されている。水処理材としては、原水中の残留塩素の除去を目的とするならば、例えば、亜硫酸カルシウム、活性炭等が用いられる。
この浄水シャワーシステム４０に給水口４２から供給された原水は、シャワーホース４４を通り、シャワーヘッド４１内の浄水カートリッジ５０を通過して浄水となり、シャワー散水部４７の散水板４６からシャワー状になってシャワーヘッド４１外に散水される。
【０００５】
【発明が解決しようとする課題】
しかしながら、この浄水シャワーシステム４０においては、シャワーヘッド４１のグリップ部４８内に浄水カートリッジ５０を収納するため、シャワーヘッド４１本体のサイズによって、浄水カートリッジ５０の大きさが限定され、それ故、浄水カートリッジ５０に充填される水処理材の量も限定されていた。そのため、浄水カートリッジ５０の水処理性能の向上、長寿命化を目的にした場合、水処理材の量が大きく増やせないため、その目的の達成が難しいという不具合があった。
また、同様に浄水カートリッジ５０内部の通水断面積も限定されてしまうため、断面積を大幅に増やすことができず、そのため、圧力損失を減らして、浄水流量を増加させることが難しいという不具合があった。
【０００６】
一方、水処理材の量や通水断面積に制限のない従来の浄水シャワーシステムとしては、図１０に示すような浄水シャワーシステムがある。
この浄水シャワーシステム５３は、床５４に設置され、供給された原水を浄化して浄水を吐出する浄水部５５と、浄水を噴出するシャワーヘッド５６と、水栓５１より原水を供給する給水口４２と、一端が前記浄水部５５の出水接続部５７に連結され、他端が前記シャワーヘッド５６に連結されたシャワーホース５８と、一端が前記浄水部５５の入水接続部５９に連結され、他端が前記給水口４２の給水連結部４３に連結された給水ホース６０と、前記シャワーヘッド５６を壁５２に固定するフック４５を有して概略構成されるものである。
【０００７】
また、前記シャワーヘッド５６は、浄水を散水する散水板６１と、この散水板６１が設けられたシャワー散水部６２と、このシャワー散水部６２と一体成形されたグリップ部６３と、このグリップ部６３の基端部とシャワーホース５８とを連結するヘッド連結部６４とを有して概略構成される。
この浄水シャワーシステム５３に給水口４２から供給された原水は、給水ホース６０を通って浄水部５５に導入され、浄水部５５内の浄水カートリッジ（図示略）を通過して浄水となった浄水は、シャワーホース５８を通ってシャワーヘッド５６に送られ、シャワー散水部６２の散水板６１からシャワー状になってシャワーヘッド５６外に散水される。
【０００８】
この浄水シャワーシステム５３のように、浄水部５５をシャワーヘッド５６の外部に設けたものは、浄水部５５のサイズを大きくすることによって、水処理材の量や通水断面積を制限なく増加させることができる。しかしながら、浴室内に浄水部５５を設置するスペースを確保する必要があったため、浴室を利用するときに足下の浄水部５５が邪魔になったり、空間の比較的小さなユニットバス等では設置が困難であるなどの問題があった。
【０００９】
また、浄水シャワー共通の問題としては、浄水シャワー使用者が、誤って水道の水栓の温度設定をシャワー適温以上に上げたときなどの場合、シャワーヘッドから高温水が吐水され、浄水シャワー使用者が不快に感じることがあった。さらに、浄水部の水処理材として活性炭が使用されている場合には、高温水によって活性炭に一旦吸着した塩素が破過してしまい、浄水中の残留塩素濃度が原水のその濃度を上回ってしまうこともあった。また、イオン交換樹脂などの熱に弱い水処理材を使用した場合には、高温水によって、水処理性能が低下したり、水処理材の寿命が短くなったり、浄水流量が減ったりすることもあった。
【００１０】
よって、本発明の課題は、省スペースで設置でき、かつ水処理性能の向上、長寿命化、浄水流量の増加が達成され、さらに使用者にとって快適性の増した浄水シャワーシステムを提供することにある。
【００１１】
【課題を解決するための手段】
すなわち、本発明の浄水シャワーシステムは、水または温水を処理する水処理材が収められた浄水カートリッジを収納した浄水部と、この浄水部にシャワーホースによって接続されたシャワーヘッドと、前記浄水器に水または温水を供給する水栓と、前記水栓内に設けられ、設定温度以上の温水を遮断する制御部とを具備し、前記浄水部は、壁内に設けられ、前記制御部は、通水孔が形成された凸ボディーと、この凸ボディーの凸部と嵌合する、通水孔が形成された凹ボディーと、前記凸ボディーの通水孔の開閉を行う弁体と、前記弁体に接続する形状記憶スプリングとを有するものであることを特徴とする。
【００１２】
また、前記浄水部は複数の浄水カートリッジを有し、これら浄水カートリッジは連結可能であることが望ましい。
また、前記浄水部には、前記水または温水が前記水処理材を通って吐出される第一の流路と、前記水または温水が前記水処理材を通らずに吐出される第二の流路と、前記第一の流路と第二の流路とを切り換える切換機構とが設けられていてもよい。
【００１３】
【発明の実施の形態】
以下、図面を参照しながら、本発明の浄水シャワーシステムを説明する。
図１は、本発明の浄水シャワーシステムの一例を示す正面図であり、図２は、本発明の浄水シャワーシステムの一例を示す上面図である。
この浄水シャワーシステム１は、壁５２から突き出して設けられた給水配管２および給湯配管３に接続する水栓４と、壁５２内の収納空間９に設けられ、供給された水または温水（以下、原水と記す）を浄化して浄水を吐出する浄水部５と、浄水を噴出するシャワーヘッド６と、一端が前記浄水部５に連結され、他端が前記シャワーヘッド６に連結されたシャワーホース７と、一端が前記浄水部５に連結され、他端が前記水栓４に連結された給水ホース８と、前記シャワーヘッド６を着脱可能に係止するフック４５とを有して概略構成されるものである。
【００１４】
浄水部５は、図３に示すように、円筒形のカバー１２と、このカバー１２の内部に収められた略円柱状の浄水カートリッジ１３，１３…と、この浄水カートリッジ１３，１３…の連結体の最先端部１４および前記カバー１２の上面を封止する蓋体１５と、前記カバー１２の外周壁下部にカバー１２内部と連通させて設けられた原水入水部１６と、前記浄水カートリッジ１３の中心に形成された中空状の通水管１８に連通させて前記カバー１２の下面に設けられた浄水出水部１７とから構成される。
【００１５】
浄水カートリッジ１３の内部には、水処理材１９が通水管１８の周囲に充填されている。また、浄水カートリッジ１３は、その先端部に形成された凸部２０に凸部通水口が形成され、基端部に形成された凹部２１に凹部通水口が形成されており、１つの浄水カートリッジ１３の凸部２０と他の浄水カートリッジ１３の凹部とが相互に嵌合可能となっている。また、図示例のものでは、各凸部２０の側面には、パッキング２２が形成されており、嵌合した際の連結状態を確実にするとともに、浄水の漏れを防止することができる。
浄水カートリッジ１３は、蓋体１５を取り外すことにより、交換することができる。前記カバー１２と蓋体１５の連結方式については、特に図示しないが、周知のネジ嵌合方式やバイヨネット方式などが用いられる。
【００１６】
浄水カートリッジ１３の内部に充填されている水処理材１９としては、亜硫酸カルシウム、粒状活性炭、繊維状活性炭、アスコルピン酸等の脱塩素処理剤、多孔質中空糸膜、イオン交換樹脂などが用いられる。これらは、単独で用いても、２種類以上を併用してもよい。原水中の残留塩素の除去を主な目的とする場合、脱塩素処理剤を用いることが好ましく、中でも、脱塩素能力に優れた亜硫酸カルシウムが好適に用いられる。また、原水中の濁質成分の除去を目的とした場合、細菌の除去まで可能な多孔質中空糸膜を用いることが好ましい。
【００１７】
水処理材１９の充填形態は、特に限定はされないが、粒状や紛状の水処理材を用いる場合は、例えば、水処理材とバインダー樹脂を型に入れて中心に中空部を有する円筒形に固めたものを、前記凸部２０と凹部２１で挟んで固定する形態、不織布等で形成された浄水カートリッジ１３の外周壁および通水管１８の間の空間に水処理材１９を充填する形態などが挙げられる。
【００１８】
図３においては、水処理材１９の種類は、すべての浄水カートリッジ１３，１３…で同一にする必要はなく、用途に合わせて各々変更して組み合わせてもよい。例えば、原水中の残留塩素と重金属イオンの除去を目的とする場合、脱塩素処理剤が充填された浄水カートリッジと、イオン交換樹脂が充填された浄水カートリッジとを併用することができる。
【００１９】
カバー１２、蓋体１５、浄水カートリッジ１３の凸部２０および凹部２１の材質としては、耐圧性、耐熱性、成形性を考慮して、ＡＢＳ樹脂、ポリプロピレン樹脂、ポリスルホン樹脂、ポリアセタール樹脂、ポリカーボネート樹脂、ポリフェニレンエーテル樹脂等のプラスチックが好ましく、更に強度を持たせたい場合、ステンレス金属を用いることが好ましい。
【００２０】
なお、浄水部５は、図３に例示した形態のものに限定されるものではない。他の形態例としては、例えば、図４に示すように、浄水出水部１７を蓋体１５に、浄水カートリッジの通水管１８に連通させて設けたものでもよい。
【００２１】
また、浄水部５は、図５に示すような形態のものでもよい。この浄水部は、内部に水処理剤１９が収められ、原水が前記水処理剤１９を通って吐出される第一の流路２３および原水が前記水処理材１９を通らずに吐出される第二の流路２４が形成された円筒形の浄水カートリッジ２５，２５…と、この浄水カートリッジ２５，２５…の連結体の最基端部２６に着脱可能に連結され、前記第一の流路２３と第二の流路２４とを切り換える切換部２７と、前記浄水カートリッジ２５，２５…の連結体の最先端部２８に着脱可能に連結され、前記第一の流路２３を通って浄水カートリッジ２５から吐出される浄水、または、第二の流路２４を通って浄水カートリッジ２５から吐出される原水が通過する集水部２９と、前記給水ホース８と切換部２７とを連結する入水連結部３０と、前記シャワーホース７と集水部２９とを連結する出水連結部３１とから構成される。
【００２２】
前記浄水カートリッジ２５には、その先端部に凸型の吐水口３２と、基端部に凹型の入水口３３が形成されており、相互に嵌合可能となっている。
浄水カートリッジ２５は、最基端部２６に着脱可能に連結された切換部２７、または最先端部２８に着脱可能に連結された集水部２９を取り外すことにより、交換することができる。これら、浄水カートリッジ２５と切換部２７、浄水カートリッジ２５と集水部２９の連結方式については、特に図示しないが、周知のネジ嵌合方式やバイヨネット方式などが用いられる。
【００２３】
前記切換部２７は、第一の流路２３と第二の流路２４との切り換えを操作する外部の切換レバー（図示略）と、この切換レバーに連動する内部の切換機構３４とを有するものである。また、切換部２７内部には、原水を第一の流路２３に導く第一の導入路３５と、原水を第二の流路２４に導く第二の導入路３６とが形成されている。
また、前記切換機構３４としては、ロータ弁式、ボール弁式等の切換弁など、周知の切換機構を用いることができる。
【００２４】
浄水カートリッジ２５、切換部２７および集水部２９の材質としては、耐圧性、耐熱性、成形性を考慮して、ＡＢＳ樹脂、ポリプロピレン樹脂、ポリスルホン樹脂、ポリアセタール樹脂、ポリカーボネート樹脂、ポリフェニレンエーテル樹脂等のプラスチックが好ましく、更に強度を持たせたい場合、ステンレス金属を用いることが好ましい。
【００２５】
なお、図５に例示した浄水部は、浄水カートリッジ２５として、その内部中央に第二の流路２４、その周囲に水処理材１９が充填された第一の流路２３が形成されたものを用いたが、これ以外に、例えば、その内部中央に水処理材１９が充填された第一の流路２３、その周囲に第二の流路２４が形成されたもの、浄水カートリッジ２５内部を長手方向にわたって半分に仕切り、一方に水処理材１９が充填された第一の流路２３を設け、他方に第二の流路２４を設けたものなどでもよく、特に限定されない。
また、図示例では、浄水部の上部に切換部２７および入水連結部３０を設け、下部に集水部２９および出水連結部３１を設けているが、特にこの形態に限定されるものではなく、浄水部の上部に集水部２９および出水連結部３１を設け、下部に切換部２７および入水連結部３０を設けたものでもよい。
また、縦長円筒形のハウジング内に浄水カートリッジ２５を収納した形態のものでもよい。
【００２６】
前記水栓４は、前記給水配管２および給湯配管３が接続された胴部４ａと、前記給水配管２から供給される水の流量を調節する胴部４ａ内の給水弁（図示略）の開閉を行う給水コック４ｂと、前記給湯配管３から供給される湯の流量を調節する胴部４ａ内の給湯弁（図示略）の開閉を行う給湯コック４ｃと、水や湯を吐出する吐水口４ｄと、水や湯のシャワーからの吐出または吐水口４ｄからの吐出を切り換える切換コック４ｅと、胴部４ａ内に設けられ、設定温度以上の原水を遮断して、高温水がシャワーまたは吐出口４ｄから吐出されるのを防止する制御部４ｆを有して概略構成される。
【００２７】
前記制御部４ｆは、図６に示すように、中央に通水孔８１ａが形成された凸ボディー８１と、この凸ボディー８１の凸部８１ｂと嵌合し、中央に通水孔８２ａが形成された凹ボディー８２と、前記凸ボディー８１の通水孔８１ａの吐水口８１ｃの開閉を行う弁体８３と、前記吐水口８１ｃ内に設けられ、前記弁体８３に接続する形状記憶スプリング８４と、前記弁体８３を吐水口８１ｃに押さえつけるように働くスプリング８５とを有して概略構成されるものである。
【００２８】
前記制御部４ｆに設定温度未満の原水が供給された場合、形状記憶スプリング８４の反発力がスプリング８５の反発力よりも大きくなるので、形状記憶スプリング８４が伸び、弁体８３を凹ボディー８２側に押し返し、吐水口８１ｃの周縁と弁体８３との間に隙間が生じる。
一方、前記制御部４ｆに設定温度以上の原水が供給された場合、設定温度以上の原水が形状記憶スプリング８４に接触することで、形状記憶スプリング４の反発力がスプリング８５の反発力よりも小さくなるので、形状記憶スプリング８４が縮み、スプリング８５が弁体８３を吐水口８１ｃに押さえつけ、吐水口８１ｃの周縁と弁体８４との間の隙間が塞がれる。
【００２９】
水栓４は、一般家庭の浴室等において通常使用されている既設の水栓に、上述したような、吐出に関し設定温度以上の原水を遮断する制御機能を加えたものであればよく、その材質、形状等は特に限定はされない。
【００３０】
前記シャワーヘッド６は、浄水を散水する散水板６ａと、この散水板６ａ、が設けられたシャワー散水部６ｂと、このシャワー散水部６ｂと一体成形されたグリップ部６ｃと、このグリップ部６ｃの基端部とシャワーホース７とを連結するヘッド連結部６ｄとを有して概略構成される。
シャワーヘッド６は、一般家庭の浴室等において通常使用されるシャワーヘッドを用いればよく、その材質、形状等は特に限定はされない。
また、浄水シャワーシステム１に使用される、給水ホース８およびシャワーホース７も、一般家庭の浴室等において通常使用されるシャワーシステムのものを用いればよく、その材質、形状等は特に限定はされない。
【００３１】
なお、本発明の浄水シャワーシステムは、壁５２内に浄水部が設置され、浄水部の上流側に設定温度以上の温水を遮断する制御部が設けられているものであればよい。図１の設置形態では、壁５２の一部に穴をあけて収納空間９を設け、浄水部５の格納後図示していない開閉自在の化粧蓋でカバーする構造としているが、図１に例示した形態のものに限定されるものではない。また、収納空間９の位置も、水栓４の裏側に限定されるものではない。
【００３２】
他の形態例としては、例えば、図７および図８に示すように、浄水カートリッジ１３，１３…が直列に接続された連結体１１を、箱形のカバーに複数本並列に収納して浄水部１０とし、壁５２内の収納空間９に設置したものなどが挙げられる。
また、壁５２内への設置形態についても、壁５２の一部に穴をあけ浄水部を格納する以外に、予め浴室ユニットに設置スペース（壁面窪み）を設け浄水部を設置してもよく、特定の形態に限定されない。
【００３３】
次に、浄水シャワーシステム１の設置方法および使用方法について、図面を参照しながら説明する。
まず、壁５２に設けられた収納空間９に浄水部５を設置する。ついで、給水ホース８の一端を、水栓４の下部に設けられた給水口（図示略）に連結し、他端を浄水部５の原水入水部１６に連結する。さらに、シャワーホース７の一端を浄水部５の浄水出水部１７に連結し、他端を既存のシャワーヘッド６のシャワー連結部６ｄに連結する。
【００３４】
このようにして設置された浄水シャワーシステム１においては、水栓４から供給された残留塩素を含んだ原水は、給水ホース８を通って原水入水部１６から浄水部５に導入される。ついで、原水は、浄水カートリッジ１３の外周壁側から水処理材１９を通過して通水管１８に吐出される。水処理材１９で原水中の残留塩素が取り除かれて吐出された浄水は、通水管１８を通って浄水出水部１７から吐出され、シャワーホース７を通ってシャワーヘッド６に流入し、シャワーヘッド６の散水板６ａから散水される。
【００３５】
また、浄水部５を図５に示す構成とした場合、浄水部に導入された原水は、切換レバーが浄水側（第一の流路２３側）であれば、切換機構３４により第一の流路２３に導入され、水処理材１９によって原水中の残留塩素が取り除かれ浄水となり、浄水部５から吐出される。吐出された浄水は、シャワーホース７を通ってシャワーヘッド６に流入し、シャワーヘッド６の散水板６ａから散水される。
一方、切換レバーを原水側（第二の流路２４側）に切り換えると、原水は、切換機構３４により第二の流路２４に導入され、浄水部５から吐出される。吐出された原水は、シャワーホース７を通ってシャワーヘッド６に流入し、シャワーヘッド６の散水板６ａから散水される。
【００３６】
また、設定温度未満の原水が水栓４を通過するような、通常の使用時の制御部４ｆにおいては、形状記憶スプリング８４の反発力がスプリング８５の反発力よりも大きくなり、吐水口８１ｃの周縁と弁体８３との間に隙間が生じて、原水が図１０の（Ｉ）側から制御部４ｆに入り、（II）側へ出ていく。万一、設定温度以上の原水が水栓４に入った場合は、設定温度以上の原水が形状記憶スプリング８４に接触することで、形状記憶スプリング４の反発力がスプリング８５の反発力よりも小さくなり、吐水口８１ｃの周縁と弁体８４との間の隙間が塞がれ、原水を遮断する。
【００３７】
また、浄水部５の脱着については、原水入水部１６および浄水出水部１７はそれぞれ可撓性を有する給水ホース８およびシャワーホース７に接続しているので、開閉自在の化粧蓋を外した後、給水ホース８およびシャワーホース７が接続された状態で浄水部５を壁外へ取り出し、円筒形のカバー１２の上面の蓋体１５を外して、カバー１２の内部に収められた浄水カートリッジ１３，１３…を連結した状態で取り出し、交換用の新しい浄水カートリッジ１３，１３…を収納し、蓋体１５をカバー１２上面に取り付けて浄水部５を壁内の収納空間９に戻し、開閉自在の化粧蓋を取り付けることによって行うことができる。なお、浄水部５の脱着方法は、上述の形態に特に限定されるものではない。
【００３８】
このような浄水シャワーシステム１にあっては、壁５２内に浄水部５を設置しているので、通常使用されないスペースを利用することができ、浄水部５を省スペースで増設することができる。
また、シャワーヘッド６から独立した浄水部５に、水処理材１９が充填された浄水カートリッジ１３を複数、着脱自在に装填可能としているので、水処理材１９の量をシャワーヘッド６のサイズの制限を受けずに増加させることができ、そのため、水処理性能の向上、長寿命化が可能となる。
また、浄水カートリッジ１３内部の通水断面積もシャワーヘッド６のサイズの制限を受けずに拡げることができ、そのため、圧力損失が減少し、浄水流量の増加が可能となる。
【００３９】
更に万一、設定温度以上の温水が水栓４に入った場合は、設定温度以上の温水を遮断する制御部４ｆにより、シャワーからの吐水または吐水口４ｄからの吐水が自動的に遮断され、浴室内にいる使用者が高温水を浴びてしまうことを未然に防止できる。また、水処理材として活性炭を用いた場合でも、高温水による浄水中の残留塩素濃度の上昇を防止することができる。また、イオン交換樹脂などの熱に弱い水処理材を使用した場合でも、高温水による水処理性能、水処理材の寿命、浄水流量の低下を防ぐことができる。
【００４０】
また、複数の浄水カートリッジ１３を連結可能としているので、目的性能に応じて任意の数の浄水カートリッジを使用可能であり、長寿命化達成も容易である。
また、浄水部５として、原水が水処理材１９を通って吐出される第一の流路２３と、原水が水処理材１９を通らずに吐出される第二の流路２４とを切り換えることができるものを用いた場合、桶やタオルを洗いたい時など、浄水を必要としないときに、原水を浄化せずにそのまま用いることができるので、浄水カートリッジ１３のさらなる長寿命化が可能となる。
【００４１】
【発明の効果】
以上説明したように、本発明の浄水シャワーシステムは、水または温水を処理する水処理材が収められた浄水カートリッジを収納した浄水部と、この浄水部にシャワーホースによって接続されたシャワーヘッドと、前記浄水部よりも上流側に設けられ、設定温度以上の温水を遮断する制御部とを具備し、前記浄水部が、壁内に設けられているので、省スペースで設置でき、かつ水処理性能の向上、長寿命化、浄水流量の増加を達成でき、さらに使用者にとって快適性の増したシャワーシステムである。
【００４２】
また、複数の浄水カートリッジを連結可能とした場合、目的性能に応じて任意の数の浄水カートリッジを使用可能であり、長寿命化達成も容易である。
また、前記浄水部に、原水が前記水処理材を通って吐出される第一の流量と、原水が前記水処理材を通らずに吐出される第二の流路と、前記第一の流路と第二の流路とを切り換える切換機構が設けられている場合、さらに浄水カートリッジを長寿命化できる。
【図面の簡単な説明】
【図１】  本発明の浄水シャワーシステムの一形態例を示す正面図である。
【図２】  本発明の浄水シャワーシステムの一形態例を示す上面図である。
【図３】  本発明の浄水シャワーシステムに用いられる浄水部の一形態例を示す側断面図である。
【図４】  本発明の浄水シャワーシステムに用いられる浄水部の他の形態例を示す側断面図である。
【図５】  本発明の浄水シャワーシステムに用いられる浄水部の他の形態例を示す側断面図である。
【図６】  本発明の浄水シャワーシステムにおける制御部の一例を示す断面図である。
【図７】  本発明の浄水シャワーシステムの他の形態例を示す正面図である。
【図８】  本発明の浄水シャワーシステムの他の形態例を示す上面図である。
【図９】  従来の浄水シャワーシステムの一例を示す概略図である。
【図１０】  従来の浄水シャワーシステムの他の例を示す概略図である。
【符号の説明】
１  浄水シャワーシステム
４ｆ  制御部
５  浄水部
６  シャワーヘッド
７  シャワーホース
１３  浄水カートリッジ
１９  水処理材
２３  第一の流路
２４  第二の流路
３４  切換機構
５２  壁
【図１】
0004555425.tif 000002
【図２】
0004555425.tif 000003
【図３】
0004555425.tif 000004
【図４】
0004555425.tif 000005
【図５】
0004555425.tif 000006
【図６】
0004555425.tif 000007
【図７】
0004555425.tif 000008
【図８】
0004555425.tif 000009
【図９】
0004555425.tif 000010
【図１０】
0004555425.tif 000011